(57)【要約】【課題】欄間パネルを床面から浮かせた状態で取り付けできると共に上下の位置出し作業が容易に行えて、取付作業性の良好な内組構造が得られる欄間パネルの取付構造を提供する。【解決手段】欄間パネルと壁パネルの連結部に補強材をそれぞれ取り付けると共に、両補強材に対して上下方向の位置決めが可能な第１係合部と第２係合部を有する連結部材を両補強材に係合させることにより、欄間パネルを壁パネルに取り付ける。連結部材は、例えば欄間パネルと壁パネルの連結方向における各パネルの抜けを防止する抜け防止部や欄間パネルを支持する欄間パネル支持部を有し、欄間パネル支持部に支持される欄間パネルの重量によって第２係合部が壁パネル用の補強材に位置決め係合される。【選択図】　図６
2004011221.tif 000002
【特許請求の範囲】
【請求項１】
ドアと壁パネルが並設設置されると共に前記ドアの上部に欄間パネルが設置される側壁における欄間パネルの取付構造であって、
前記欄間パネルと壁パネルの連結部に補強材をそれぞれ取り付けると共に、両補強材に対して連結部材を上下方向の位置決めが可能に係合させることにより、該連結部材を介して前記欄間パネルを壁パネルに取り付けることを特徴とする欄間パネルの取付構造。
【請求項２】
前記連結部材は、欄間パネル用の補強材に係合する第１係合部と壁パネル用の補強材に係合する第２係合部を有することを特徴とする請求項１に記載の欄間パネルの取付構造。
【請求項３】
前記連結部材は、欄間パネルと壁パネルの抜けを防止する抜け防止部を有することを特徴とする請求項１または２に記載の欄間パネルの取付構造。
【請求項４】
前記連結部材は、欄間パネルを支持する欄間パネル支持部を有することを特徴とする請求項１ないし３のいずれかに記載の欄間パネルの取付構造。
【請求項５】
前記連結部材は、第１係合部に支持される欄間パネルの重量によって前記第２係合部が壁パネル用の補強材に位置決め係合されることを特徴とする請求項２ないし４のいずれかに記載の欄間パネルの取付構造。
【請求項６】
前記欄間パネル及び壁パネルは、その外周に沿って受容部を有する補強材が取り付けられた構造のものであることを特徴とする請求項１ないし５のいずれかに記載の欄間パネルの取付構造。
【発明の詳細な説明】
【０００１】
【発明の属する技術分野】
本発明は、例えば浴室ユニットや洗面室ユニット等のドア上部に取り付けられる欄間パネルの取付構造に関する。
【０００２】
【従来の技術】
一般的に、浴室ユニットにおいては、例えば図１０に示すように、浴室ユニット１自体が複数（もしくは１枚）の壁パネルを並設すること等により形成された４つの側壁２で囲まれ、その一側壁２に浴室内出入用のドア３が開閉可能に取り付けられている。そして、この浴室ユニット１の場合、図１１に示すように、使用されるドア３の高さｈ１が側壁２の高さｈ２より低い場合に、ドア３の上部に欄間パネル４が取り付けられる。
【０００３】
従来、この欄間パネル４の側壁２への取り付けは、欄間パネル４をこれに並設される側壁２の壁パネル２ａの上部に、図１２もしくは図１３に示すようにして固定することで行っている。すなわち、図１２に示すように、欄間パネル４と壁パネル２ａの外周部に断面ロ字状の補強材１０１が固定されている場合は、この両補強材１０１をボルト１０２とナット１０３で固定することにより取り付け、また、図１３に示すように、欄間パネル４と壁パネル２ａの外周部に補強材がなく折返片１０４がある場合は、ジョイナー１０５とネジ１０６を使用して取り付けている。
【０００４】
【発明が解決しようとする課題】
しかしながら、これらの欄間パネル４の取付構造にあっては、側壁２を構成する壁パネル２ａ上部の幅方向の一端部に、その下部にドア３がない状態で欄間パネル４を取り付けると共に、欄間パネル４と壁パネル２ａの外側をボルト１０２等で連結固定する構造であるため、浴室ユニット１の組み立て（施工）に当たって、予め欄間パネル４と壁パネル２ａとを組み立てなければならず、浴室ユニット１の各側壁２を構成する壁パネル等を一枚ずつ内側から組み立てる内組構造とすることができない。
【０００５】
また、欄間パネル４と壁パネル２を予め組み立てる必要があるため、欄間パネル４の高さ方向の位置出しが難しく、欄間パネル４の下部に後から取り付けられるドア３との正確な組立状態を得ることが困難で、これらのことから、結果として浴室ユニット１の組立作業性（取付作業性）が劣るという問題点を有している。
【０００６】
本発明は、このような事情に鑑みてなされたもので、その目的は、欄間パネルを床面から浮かせた状態で取り付けできると共に上下の位置出し作業が容易に行えて、取付作業性の良好な内組構造が得られる欄間パネルの取付構造を提供することにある。
【０００７】
【課題を解決するための手段】
かかる目的を達成すべく、本発明のうち請求項１に記載の発明は、ドアと壁パネルが並設設置されると共に前記ドアの上部に欄間パネルが設置される側壁における欄間パネルの取付構造であって、前記欄間パネルと壁パネルの連結部に補強材をそれぞれ取り付けると共に、両補強材に対して連結部材を上下方向の位置決めが可能に係合させることにより、該連結部材を介して前記欄間パネルを壁パネルに取り付けることを特徴とする。
【０００８】
このように構成することにより、浴室ユニット等のドアが設置される側壁は、壁パネルと欄間パネルとの連結部に取り付けられた補強材に連結部材を係合させることによって連結固定される。この時、連結部材が両方の補強材に対して上下方向の位置決めが可能であることから、側壁の内側から連結部材を係合させて欄間パネルを壁パネルの所定高さ位置に取り付けでき、内組が可能となって取付作業性の向上が図れる。
【０００９】
そして、前記連結部材は、請求項２に記載の発明のように、欄間パネル用の補強材に係合する第１係合部と壁パネル用の補強材に係合する第２係合部を有することが好ましい。このように構成することにより、連結部材の第１係合部を欄間パネル用の補強材に係合させ第２係合部を壁パネル用の補強材に係合させることで両パネルを連結（取り付け）できることから、両パネルの取付作業性が一層向上する。
【００１０】
また、前記連結部材は、請求項３に記載の発明のように、欄間パネルと壁パネルの抜けを防止する抜け防止部を有することが好ましい。このように構成することにより、連結部材に設けた抜け防止部で両パネルの抜けが防止されることから、両パネルに安定した取付状態が得られる。
【００１１】
また、前記連結部材は、請求項４に記載の発明のように、欄間パネルを支持する欄間パネル支持部を有することが好ましい。このように構成することにより、連結部材に設けた欄間パネル支持部に欄間パネルが支持されることから、欄間パネルを下方への落下を防止しつつ連結部材に確実に位置決めできて、一層安定した取付状態が容易に得られる。
【００１２】
また、前記連結部材は、請求項５に記載の発明のように、第１係合部に支持される欄間パネルの重量によって前記第２係合部が壁パネル用の補強材に位置決め係合されることが好ましい。このように構成することにより、連結部材の例えば欄間パネル支持部材に支持される欄間パネルの重量によって、例えば第２係合部が壁パネルの補強材に強固に位置決め係合することから、係合強度が高められると共に係合位置である欄間パネルの取付位置の自由度が高められる。
【００１３】
また、前記欄間パネル及び壁パネルは、請求項６に記載の発明のように、その外周に沿って受容部を有する補強材が取り付けられた構造のものであることが好ましい。このように構成することにより、例えば浴室ユニットの内組構造用の壁パネルとして使用される鋼板壁であっても、欄間パネルをその取付作業性を向上させた状態で壁パネルに確実かつ容易に取り付けることができて、浴室ユニットの組立作業性の向上が図れる。
【００１４】
【発明の実施の形態】
以下、本発明の実施の形態を図面に基づいて詳細に説明する。
図１〜図９は、本発明に係わる取付構造を採用した浴室ユニットの一実施例を示し、図１がその要部の斜視図、図２が欄間パネルの斜視図、図３が一方の連結部材を示す図、図４〜図６がその取付方法や取付状態の説明図、図７が他方の連結部材を示す斜視図、図８がその取付方法の説明図、図９が一方の連結部材の変形例を示す図である。なお、図１０及び図１１と同一部位には同一符号を付して説明する。
【００１５】
図１において、浴室ユニット１を形成する４つの側壁２のうち、ドア３が取付られる側壁２は、壁パネル２ａとドア３及び欄間パネル４によって形成されている。壁パネル２ａの高さｈ３は前記側壁２の高さｈ２と同一に設定され、この壁パネル２の高さｈ３がドア３の高さｈ１及び欄間パネル４の高さｈ４の和と略同一に設定されている。そして、欄間パネル４は、その左右幅方向の一端部４ａが壁パネル２ａの上部所定位置に直線用の連結部材５によって平面視直線状態で連結固定され、その左右幅方向の他端部４ｂが隣設する側壁２を構成する壁パネル２ｂにコーナ用の連結部材６によって平面視直交状態で連結されている。
【００１６】
また、欄間パネル４は、図２に示すように、その外周部に沿って固定された例えばアルミニウムの押出し成型品からなる中空状の４本の補強材７と、この補強材７で囲まれる空間内に介装された平面視方形状の石膏ボード８と、補強材７と石膏ボート８を表面側から覆う鋼板等からなる表面材９とで、所定形状の方形状に形成されている。
【００１７】
なお、補強材７は、石膏ボード８への固定面７ａと、水平面７ｂ及び突き合わせ端面７ｃを有して内部に受容部１０が形成されると共に、突き合わせ端面７ｃの端部を内側方向に折曲形成することにより前記連結部材５、６等の挿入口１１が形成されている。また、各側壁２を構成する壁パネル２ａ、２ｂ等も全体形状こそ異なるものの、欄間パネル４と同様の構造によって形成されている。
【００１８】
前記欄間パネル４の一端部４ａと壁パネル２ａ間の直線用の連結部材５は、図３に示すように、欄間パネル４の補強材７に係合する第１係合部５ａと、壁パネル２ａの補強材７に係合する第２係合部５ｂを有し、これらの各係合部５ａ、５ｂは平面視で略方形状に形成されている。また、第１係合部５ａと第２係合部５ｂ間には、その幅が各係合部５ａ、５ｂより幅狭で前記補強材７の挿入口１１の幅と同一か若干小さい連結部５ｃが形成され、この連結部５ｃの部分で第２係合部５ｂが第１係合部５ａに対して下方に所定角度α傾斜している。
【００１９】
また、第１係合部５ａの幅方向の端部には長手方向に沿って所定長さで上方に突出した抜け防止部５ｄが一体形成されている。なお、この連結部材５は、真鍮等の鋼材をプレス成型することによって図に示す如く所定角度α傾斜した状態で形成されるか、あるいは平板状に成型した状態で後加工により所定角度α傾斜させることによって形成されている。
【００２０】
そして、この連結部材５は、図４（ａ）の矢印イに示す如く、先ず第２係合部５ｂを壁パネル２ａの補強材７の受容部１０にその上方から挿入し、該第２係合部５ｂを受容部１０にそって下方にスライド移動させる。この時、連結部材５の連結部５ｃが補強材７の挿入口１１内に位置し、かつ図６の二点鎖線で示すように、連結部材５の第１係合部５ａをやや上方に傾けることで第２係合部５ｂの先端面が壁パネル２ａの補強材７の受容部１０の内面と若干の隙間１２を有する状態で下方にスライド移動する。
【００２１】
連結部材５を所定位置までスライド移動させたら、これを図６の実線で示すように、第１係合部５ａを水平状態に戻し、第２係合部５ｂの先端面を壁パネル２ａの補強材７の受容部１０内面に当接させて係合させる。この第２係合部５ｂの補強材７への係合により、連結部材５が壁パネル２ａの高さ方向の所定位置に位置決めされ、この状態で、図４（ｂ）に示すように連結部材５の第１係合部５ａに欄間パネル４の一端部４ａの補強材７を係合させる。この欄間パネル４の補強材７の係合は、欄間パネル４を連結部材５の上方から補強材７の受容部１０内に抜け防止部５ｄが位置する状態で係合させることにより行われ、この欄間パネル４が所定距離下降することにより、図５及び図６に示すようにその補強材７と石膏ボード８の下端が連結部材５の第１係合部５ａの上面に載置された状態となる。
【００２２】
連結部材５の第１係合部５ａ上に欄間パネル４が載置されると、欄間パネル４の重量が連結部材５の第１係合部５ａに加わり、連結部５ｃを介して第２係合部５ｂに図６の矢印ロに示す力が作用する。この力によって、第２係合部５ｂの先端面が壁パネル２ａの補強材７の受容部１０内面に強固に係合して、その上下方向の移動が確実に阻止される。
【００２３】
これにより、欄間パネル４の一端部４ａが壁パネル２ａに連結部材５及び一対の補強材７を介して取り付けられ、この時、欄間パネル４と壁パネル２ａの浴室ユニット１の内側からの組み付けが可能になる。なお、連結部材５による欄間パネル４の壁パネル２ａへの取り付け後に、図５に示すように、突き合わされた一対の補強材７の水平面７ｂ間を連結材１９で連結することにより、取付強度アップが図られている。
【００２４】
つまり、この直線用の連結部材５の場合、第１係合部５ａと第２係合部５ｂを欄間パネル４と壁パネル２ａの各補強材７の受容部１０にそれぞれ係合させることにより、欄間パネル４を壁パネル２ａの補強材７の高さ方向の所定位置に取り付けると共に、第１係合部５ａに加わる欄間パネル４の重量によって第２係合部５ｂを、壁パネル２ａの補強材７に強固に位置決め係合させるものであり、例えば無段階的な位置決め作業ができることになる。
【００２５】
一方、欄間パネル４の他端部４ｂと隣設する側壁２の壁パネル２ｂ間のコーナ用の連結部材６は、図７に示すように、平面視略コ字状の第１係合部１３とこの第１係合部１３に一体的に連設された略平板状の第２係合部１４とを有している。第１係合部１３は、欄間パネル４と平行な垂直面１３ａとこの垂直面１３ａの両端に直交する状態の垂直面１３ｂ、１３ｃを有し、欄間パネル４の抜け防止機能を有する垂直面１３ｃの先端には折返片１３ｄが一体形成され、垂直片１３ｂの下部には載置部１３ｅが一体形成されている。
【００２６】
また、第２係合部１４は、前記垂直面１３ａと平行（すなわち壁パネル２ｂと垂直）で固定孔１５が形成された垂直面１４ａを有し、この垂直面１４ａの先端には折返片１４ｂが一体形成されている。なお、連結部材６の高さｈ５は、欄間パネル４の高さ寸法ｈ４と一致するように設定されるが、例えば図７の二点鎖線ａで示す位置で二分割構造とし、欄間パネル４の取り付けにこれら２つの連結部材６を使用することも勿論可能である。
【００２７】
そして、この連結部材６による壁パネル２ｂへの欄間パネル４の取り付けは次のようにして行われる。すなわち、先ず、図８（ａ）に示すように、壁パネル２ｂの欄間パネル４取付側の上端部に、連結部材６の第２係合部１４をその固定孔１５を利用してネジ１６により固定し、図８（ｂ）の状態とする。この時、第２係合部１４の折返片１４ｂが壁パネル２ｂの補強材７の外面に係合して位置決めされることになる。
【００２８】
第２係合部１４を壁パネル２ｂに固定したら、次に図８（ｃ）に示すように、欄間パネル４の他端部４ｂの補強材７を連結部材６の第１係合部１３に上方から係合させる。この時、第１係合部１３の垂直面１３ｃの折返片１３ｄが補強材７の挿入口１１内に位置すると共に、第１係合部１３の載置部１３ｅ上に欄間パネル４の他端部４ｂの補強材７（もしくは石膏ボード８）が載置される状態となる。
【００２９】
この状態で、欄間パネル４の背面と第１係合部１３の垂直面１３ａに形成される間隙１７にクリップ１８等を差し込んで連結部材６に欄間パネル４を固定する。これにより、第１係合部１３の載置部１３ｅで欄間パネル４の上下方向の位置決めがされてその下方への落下が防止されると共に、欄間パネル４の横方向への抜けが連結部材６の垂直面１３ｃ等によって確実に防止される。
【００３０】
つまり、このコーナ用の連結部材６の場合、前記連結部材５と同様に、浴室ユニット１の内側からの組み付けが可能になると共に、第２係合部１４を隣設する側壁２の壁パネル２ｂ端部にネジ１６で固定し、この固定された連結部材６の第１係合部１３に欄間パネル４の他端部４ｂを係合させつつ、第１係合部１３に設けた載置部１３ｅ上に欄間パネル４を載置して位置決め固定することになる。
【００３１】
このように、上記実施例の欄間パネル４の取付構造にあっては、欄間パネル４の左右両端部４ａ、４ｂを内組可能な形状の異なる直線用の連結部材５とコーナ用の連結部材６によって壁パネル２ａ、２ｂに取り付けているため、従来不可能だった、欄間パネル４の隣設する壁パネル２ａ、２ｂへの浴室ユニット１の内側方向からの連結（取り付け）を可能にし、浴室ユニット１の組立作業性を大幅に向上させることができる。
【００３２】
また、連結部材５、６が第１係合部５ａ、１３と第２係合部５ｂ、１４を有し、第１係合部５ａ、１３を欄間パネル４の端部４ａ、４ｂに係合させ、第２係合部５ｂ、１４を壁パネル２ａ、２ｂの端部に係合させることで、欄間パネル４と壁パネル２ａ、２ｂとを取り付けることができると共に、直線用の連結部材５とコーナ用の連結部材６を作業がし易い最適形状に設定されているため、組立作業性の一層の向上を図ることができる。特に、外周部に沿って受容部１０を有する補強材７が取り付けられると共に石膏ボード８や鋼板等の表面材９を有する浴室ユニット１用の壁パネル２ａ、２ｂと欄間パネル４であっても、その取付作業を効率的に行うことが可能になる。
【００３３】
また、連結部材５に幅狭な連結部５ｃで連結された略平板状の第１係合部５ａと第２係合部５ｂを設けると共に、第２係合部５ｂを所定角度α傾斜させているため、第１係合部５ａの傾斜角度αにより第２係合部５ｂの補強材７の受容部１０への挿入及びスライド移動が容易に行えると共に、第１係合部５ａに欄間パネル４の重量が加わった場合に第２係合部５ｂに上方に変形させる力を作用させることができて、第２係合部５ｂの壁パネル２ａの補強材７への強固な係合状態が容易に得られる。また同時に、所定位置で欄間パネル４を第１係合部５ａ上に載置することで、第２係合部５ｂが所定強度で係合して当該位置に保持されることから、連結部材５を壁パネル２ａの補強材７に対して自由な位置に位置決めできる等、位置決め作業を一層容易に行うことができる。
【００３４】
さらに、連結部材５の第１係合部５ａに抜け防止部５ｄが設けられているため、壁パネル２ａに連結された欄間パネル４の抜けが確実に防止されると共に、連結部材６の垂直面１３ｃが欄間パネル４の壁パネル２ｂに対する抜け防止機能を有するため、欄間パネル４の壁パネル２ｂに対する抜けも確実に防止される。また、連結部材６の第１係合部１３に載置部１３ｅが設けられているため、欄間パネル１３の下方への落下も確実に防止され、これらのことから、浴室ユニット１の欄間パネル４を床面から浮いた状態で壁パネル２ａと壁パネル２ｂに安定した状態で取り付けることができて、例えば後組みされるドア３との正確な組立状態を容易に得ることが可能になる。
【００３５】
図９は、上記実施例における連結部材５の変形例を示している。この例の連結部材５は、第２係合部５ｂの先端部に略垂直方向に立ち上がった係合面部５ｅを一体形成した点にあり、この係合面部５ｅによって補強材７の受容部１０内面への接触（係合）面積が大きくなって、連結部材５（欄間パネル４）と補強材７（壁パネル２ａ）間に一層強固な取付状態が得られることになる。この場合の係合面部５ｅは連結部材５の第１係合部５ａに欄間パネル４の荷重が加わった場合に、図９（ａ）の二点鎖線で示す如く変形して垂直となり、補強材７の内面に面接触状態となるように設定することが好ましい。
【００３６】
なお、上記実施例においては、ドア３（欄間パネル４）が浴室ユニット１の側壁２の端部寄りに設置される場合について説明したが、例えばドア３が側壁２の中央部分に設置される場合は、異なる形状の連結部材５、６を使用することなく、連結部材５を２個使用して欄間パネル４を両側の壁パネル２ａに取り付けることもできる。
【００３７】
また、上記実施例においては、欄間パネル４が浴室ユニット１のドア３上部に取り付けられる場合について説明したが、本発明はこれに限定されず、洗面室ユニット、トイレユニットあるいは各種部屋のドア上部等に設けられる欄間パネルの取り付けにも適用することができる。さらに、上記実施例における連結部材５、６の形状も一例であって、各連結部材５、６と同等の機能を有する各種形状の連結部材を使用できるし、その使用個数についても欄間パネルの高さ等に応じて増減できる等、本発明に係わる各発明の要旨を逸脱しない範囲において適宜変更することができる。
【００３８】
【発明の効果】
以上詳述したように、請求項１に記載の発明によれば、欄間パネルと壁パネルの各連結部に補強材をそれぞれ取り付けると共に、両補強材に対して上下方向の位置決めが可能な連結部材を両補強材に係合させることにより、欄間パネルを壁パネルに取り付けるため、連結部材を両方の補強材に対して位置決めしつつ、欄間パネルを床面から浮かせた状態でかつ側壁の内側から取り付けることができて、内組構造が可能となり取り付けの作業性向上を図ることができると共に、確実かつ安定した取付状態を容易に得ることができる。
【００３９】
また、請求項２に記載の発明によれば、請求項１に記載の発明の効果に加え、連結部材が欄間パネル用の補強材に係合する第１係合部と壁パネル用の補強材に係合する第２係合部とを有するため、各係合部を各補強材にそれぞれ係合させることで両パネルを取り付けできて、両パネルの取付作業性を一層向上させることができる。
【００４０】
また、請求項３に記載の発明によれば、請求項１または２に記載の発明の効果に加え、連結部材に設けた抜け防止部により欄間パネルの壁パネルに対する抜けを防止できて、欄間パネルと壁パネルとの取付状態をより一層安定させることができる。
【００４１】
また、請求項４に記載の発明によれば、請求項１ないし３に記載の発明の効果に加え、連結部材に設けた欄間パネル支持部に欄間パネルが支持されるため、欄間パネルの下方への落下を防止した状態で連結部材に確実に位置決めすることができ、より一層安定した取付状態を得ることができる。
【００４２】
また、請求項５に記載の発明によれば、請求項２ないし４に記載の発明の効果に加え、第１係合部に支持される欄間パネルの重量によって第２係合部が壁パネル用の補強材に位置決め係合されるため、その荷重を有効利用して欄間パネルを壁パネルに確実に位置決め係合させることができると共に、係合位置である欄間パネルの取付位置の自由度を高めることができる。
【００４３】
また、請求項６に記載の発明によれば、請求項１ないし５に記載の発明の効果に加え、例えば浴室ユニットの内組構造用の壁パネルとして使用されるボードと表面材として鋼板を有する鋼板壁であっても、欄間パネルを壁パネルにその取付作業性を向上させた状態で確実かつ容易に取り付けることができて、浴室ユニットの組立作業性を向上させることができる等の効果を奏する。
【図面の簡単な説明】
【図１】本発明に係わる欄間パネルの取付構造を浴室ユニットに適用した場合の一実施例を示す要部の斜視図
【図２】同その欄間パネルの斜視図
【図３】同一方の連結部材を示し（ａ）が斜視図（ｂ）が平面図（ｃ）が側面図
【図４】同その取付方法の説明図
【図５】同取付状態の平面図
【図６】同取付状態の縦断面図
【図７】同他方の連結部材の斜視図
【図８】同その取付方法の説明図
【図９】同一方の連結部材の変形例を示し（ａ）が側面図（ｂ）が平面図
【図１０】浴室ユニットの概略平面図
【図１１】同そのＡ−Ａ線矢視図
【図１２】従来の欄間パネルの取付構造の説明図
【図１３】同他の取付構造の説明図
【符号の説明】
１・・・・・・・・・浴室ユニット
２・・・・・・・・・側壁
２ａ、２ｂ・・・・・壁パネル
３・・・・・・・・・ドア
４・・・・・・・・・欄間パネル
４ａ・・・・・・・・一端部
４ｂ・・・・・・・・他端部
５・・・・・・・・・連結部材
５ａ・・・・・・・・第１係合部
５ｂ・・・・・・・・第２係合部
５ｃ・・・・・・・・連結部
５ｄ・・・・・・・・抜け防止部
５ｅ・・・・・・・・係合面部
６・・・・・・・・・連結部材
７・・・・・・・・・補強材
８・・・・・・・・・ボード
９・・・・・・・・・表面材
１０・・・・・・・・受容部
１１・・・・・・・・投入口
１３・・・・・・・・第１係合部
１３ａ〜１３ｃ・・・垂直面
１３ｄ・・・・・・・折返片
１３ｅ・・・・・・・載置部
１４・・・・・・・・第２係合部
１４ａ・・・・・・・垂直面
１４ｂ・・・・・・・折返片
【図１】
2004011221.tif 000003
【図２】
2004011221.tif 000004
【図３】
2004011221.tif 000005
【図４】
2004011221.tif 000006
【図５】
2004011221.tif 000007
【図６】
2004011221.tif 000008
【図７】
2004011221.tif 000009
【図８】
2004011221.tif 000010
【図９】
2004011221.tif 000011
【図１０】
2004011221.tif 000012
【図１１】
2004011221.tif 000013
【図１２】
2004011221.tif 000014
【図１３】
2004011221.tif 000015